(57)【要約】  【課題】プラテン等にインク液滴を着弾させることなく、白縁の無い適正な縁無しプリントを、少ない処理量で効率良く作成可能なインクジェットヘッド、画像記録方法、および、画像記録方法を提供する。  【解決手段】インクジェットヘッドの走査方向の先端のノズル列の２以上のノズルに、ノズルから入ってくる光を検出するセンサを設け、このセンサによる光検出結果に応じて、各ノズルからの液滴吐出駆動を制御することにより、前記目的を達成する。【選択図】図５
2009234098.tif 000002
【特許請求の範囲】
【請求項１】
インク液滴を吐出して描画を行なうインクジェットヘッドであって、
ノズルの少なくとも１つに対応して、このノズルを通って進入してくる光を検出するセンサを有することを特徴とするインクジェットヘッド。
【請求項２】
前記センサが、赤外光センサである請求項１に記載のインクジェットヘッド。
【請求項３】
前記インクジェットヘッドが、圧力室の壁面を振動させることによりインク液滴を吐出するものであり、前記センサが、前記圧力室壁面の前記ノズルに対面する位置の裏面側に配置される請求項１または２に記載のインクジェットヘッド。
【請求項４】
インク液滴を吐出するインクジェットヘッドと、前記インクジェットヘッドのノズルの配列方向と直交する方向に、前記インクジェットヘッドと記録媒体とを相対的に移動する走査手段とを有し、
前記インクジェットヘッドは、少なくとも前記相対的な移動方向の先端側のノズル列の２以上のノズルに対応して、このノズルを通って進入してくる光を検出するセンサを有し、さらに、前記センサで検出可能な光を所定位置に入射する光源と、前記センサでの光検出結果に応じて、前記インクジェットヘッドの各ノズルからのインク液滴の吐出を制御する制御手段とを有することを特徴とする画像記録装置。
【請求項５】
少なくとも前記相対的な移動方向の先端側のノズル列の全ノズルに対応して、前記センサを有する請求項４に記載の画像記録装置。
【請求項６】
前記センサに対応するノズルが、インク液滴を吐出しないダミーノズルである請求項４または５に記載の画像記録装置。
【請求項７】
全てのノズルに対応して、前記センサが配置される請求項４に記載の画像記録装置。
【請求項８】
前記光源が、赤外光の光源であり、前記センサが、赤外光センサである請求項４〜７のいずれかに記載の画像記録装置。
【請求項９】
インクジェットヘッドのノズル列と直交する方向に、インクジェットヘッドと記録媒体とを相対的に移動しつつ、記録する画像に応じて前記インクジェットヘッドのノズルからのインク液滴を吐出して画像を記録するに際し、
少なくとも、前記相対的な移動方向の先端側のノズル列の２以上のノズルに対応して、このノズルを光路として進入してくる光を検出するセンサを設け、前記センサによる光検出結果に応じて、各ノズルからのインク液滴の吐出を制御することを特徴とする画像記録方法。
【発明の詳細な説明】
【技術分野】
【０００１】
本発明は、インクジェットによる描画に関し、詳しくは、インクジェットによって縁無しのプリントを好適に作成することを可能にするインクジェットヘッド、画像記録装置、および、画像記録方法に関する。
【背景技術】
【０００２】
プリンタ、複写装置、ファクシミリ等の各種の画像記録装置として、インクジェットによる画像記録が利用されている。
また、デジタルカメラなどのカメラで撮影した画像を写真プリントとして再現する写真プリンタにおいても、いわゆる銀塩写真によるプリンタに代えて、インクジェットを利用することが提案されている。
【０００３】
周知の様に、インクジェットによる画像記録は、インク液滴を吐出するノズルが配列されたインクジェットヘッド（以下、記録ヘッドとする）を用いて、画像を記録するものである。
具体的には、ノズルの配列方向と直交する方向に、記録ヘッドと記録媒体（メディア）とを相対的に移動（走査）しつつ、記録する画像に応じて、各ノズルの駆動を変調してインク液滴を吐出することにより、記録媒体に画像を記録する。
【０００４】
ところで、写真プリントでは、感光材料（印画紙）の端部まで画像を記録（再生）してなる、いわゆる縁無しプリントが主流である。
銀塩写真を用いる写真プリンタであれば、感光材料を超える領域まで露光を行なうことにより、容易に縁無しプリントを作成できる。また、感光体からのトナー除去は極めて容易であるので、電子写真プリンタでは、電子写真感光体にプリントサイズを超えるトナー像を形成して、記録媒体に転写することで、容易に縁無しプリントを作成できる。
【０００５】
しかしながら、インクジェットプリンタでは、記録媒体の外部までインク液滴を吐出して画像を記録すると、記録媒体を指示するプラテンにインクが付着してしまう。プラテンにインクで汚染されると、それ以降のプリントの裏面にインクが付着して汚染しまい、作成したプリントが、プリントとして不適正なものとなってしまう。
そのため、インクジェットによって縁無しプリントを作成するためには、記録媒体の縁に応じて、記録媒体の縁に対応するノズルからのインク液滴の吐出を、プラテンにインクを着弾させないように制御する必要がある。
【０００６】
例えば、特許文献１には、記録媒体を断続的に搬送しつつ、インクジェットヘッドを有する記録手段を搬送方向と直交する方向に走査するシャトルタイプの画像記録装置において、記録手段あるいは記録媒体の搬送路に配置したセンサによって記録媒体の走査方向の位置を検出する画像記録装置が開示されている。
この画像記録装置においては、センサによって検出した記録媒体の走査方向の位置に応じて、記録手段が記録媒体上の記録領域以外を走査している期間は、記録手段に出力信号を出力しない、あるいは、記録手段への画像データとして非インク射出のデータを出力することにより、縁無しプリントを作成している。
【０００７】
また、特許文献２には、同様のシャトルタイプのインクジェットによる画像記録装置において、記録ヘッドを搭載するキャリッジに記録媒体を検出するセンサを設け、かつ、このセンサを記録ヘッド（ドット形成要素）の上流側に設け、好ましくは、このセンサを記録ヘッドよりも記録媒体側に位置させる画像記録装置が開示されている。
この画像記録装置では、キャリッジによる主走査の際に、センサによって記録媒体を検出し、記録媒体の有無に応じて、記録媒体からはみ出す記録領域が最小になるように画像を記録することにより、縁無しプリントを作成している。あるいは、この画像記録装置では、キャリッジによる主走査の際に、記録媒体の端部を検出しておき、端部の検出結果に応じて、記録媒体からはみ出す記録領域が最小になるように画像を記録することにより、縁無しプリントを作成している。
【０００８】
【特許文献１】特開２００１−３４７６５３号公報
【特許文献２】特開２００３−２６０７８８号公報
【発明の開示】
【発明が解決しようとする課題】
【０００９】
特許文献１や特許文献２に開示される画像記録装置によれば、記録媒体以外の領域に着弾するインク液滴を無くし（あるいは最小限にして）、インクジェットによる縁無しプリントを作成することが可能となる。
【００１０】
しかしながら、上記特許文献に開示される画像記録装置も含めて、従来のインクジェットによる画像記録装置では、キャリッジ等に設けた１個のセンサで記録媒体を検出する。
記録媒体以外の領域に対応するノズルの吐出駆動を無効にするためには、ノズル毎に、どのタイミングで吐出駆動を無効にするかの処理（演算）を行なう必要が有るが、これらの画像記録装置では、１個のセンサによる記録媒体の検出結果から、全てのノズルに対応する処理を行なわなくてはならない。そのため、例えば、高記録密度を目的として二次元的にノズルを配列してなる記録ヘッド等を用いる場合には、処理量が膨大となってしまい、吐出遅れや不要な吐出等が生じる可能性が有り、また、このような不都合を回避するためには、記録速度を遅くる必要が有る等の不都合を生じる。
【００１１】
また、１個のセンサで記録媒体を検出するため、記録媒体が曲がって供給された場合などは、センサによる検出結果に応じて算出された記録媒体の縁と、実際の記録媒体の縁とが異なってしまう。
その結果、プラテンへのインク液滴の吐出が生じ、また、プリントに白縁が形成されてしまい、適正な縁無しプリントが出力できない等の問題が生じる。
【００１２】
本発明の目的は、前記従来技術の問題点を解決することにあり、インクジェットによっる画像記録において、縁無しプリントを作成する際に、二次元的なノズル配列を有する記録ヘッドを用いる場合でも、少ない処理量でノズル毎の吐出駆動停止の処理が可能であり、かつ、記録媒体が曲がって供給されてしまった場合でも、プラテン等の記録媒体以外の領域へのインク液滴の吐出を防止して、かつ、白縁等のない適正な縁無しプリントを、安定して作成することが可能なインクジェットヘッド、画像記録装置、および画像記録方法を提供することにある。
【課題を解決するための手段】
【００１３】
上記目的を達成するために、本発明のインクジェットヘッドは、インク液滴を吐出して描画を行なうインクジェットヘッドであって、ノズルの少なくとも１つに対応して、このノズルを通って進入してくる光を検出するセンサを有することを特徴とするインクジェットヘッドを提供する。
【００１４】
また、本発明の画像記録装置は、インク液滴を吐出するインクジェットヘッドと、前記インクジェットヘッドのノズルの配列方向と直交する方向に、前記インクジェットヘッドと記録媒体とを相対的に移動する走査手段とを有し、前記インクジェットヘッドは、少なくとも前記相対的な移動方向の先端側のノズル列の２以上のノズルに対応して、このノズルを通って進入してくる光を検出するセンサを有し、さらに、前記センサで検出可能な光を所定位置に入射する光源と、前記センサでの光検出結果に応じて、前記インクジェットヘッドの各ノズルからのインク液滴の吐出を制御する制御手段とを有することを特徴とする画像記録装置を提供する。
【００１５】
さらに、本発明の画像記録方法は、インクジェットヘッドのノズル列と直交する方向に、インクジェットヘッドと記録媒体とを相対的に移動しつつ、記録する画像に応じて前記インクジェットヘッドのノズルからのインク液滴を吐出して画像を記録するに際し、少なくとも、前記相対的な移動方向の先端側のノズル列の２以上のノズルに対応して、このノズルを光路として進入してくる光を検出するセンサを設け、前記センサによる光検出結果に応じて、各ノズルからのインク液滴の吐出を制御することを特徴とする画像記録方法を提供する。
【００１６】
このような本発明の画像記録装置、および、本発明の画像記録方法において、少なくとも前記相対的な移動方向の先端側のノズル列の全ノズルに対応して、前記センサを有するのが好ましく、また、前記センサに対応するノズルが、インク液滴を吐出しないダミーノズルであるのが好ましく、あるいは、全てのノズルに対応して、前記センサが配置されるのが好ましい。
また、前記光源が、赤外光の光源であり、前記センサが、赤外光センサであるのが好ましい。
【００１７】
さらに、本発明のインクジェットヘッド、画像記録装置、および、画像記録方法において、前記センサが、赤外光センサであるのが好ましく、また、前記インクジェットヘッドが、圧力室の壁面を振動させることによりインク液滴を吐出するものであり、前記センサが、前記圧力室壁面の前記ノズルに対面する位置の裏面側に配置されるのが好ましい。
【発明の効果】
【００１８】
上記構成を有する本発明の画像記録装置および方法によれば、記録ヘッドと記録媒体との走査方向の先端側のノズル列の２以上のノズル、好ましくは同列の全ノズル、特に好ましくは、記録ヘッドの全てのノズルに対応して、光を検出するセンサを設けて、記録媒体を検出する。
そのため、センサを１つしか有さない従来のインクジェットによる画像記録に比べ、縁無しプリントを作成する際における各ノズル毎の吐出駆動の無効タイミング設定の処理量（演算量）を、大幅に低減することができ、高記録密度を目的として二次元的にノズルを配列してなる記録ヘッド等であっても、迅速かつ高効率で処理を行なうことができ、高速での画像記録等にも、好適に対応できる。さらに、複数のセンサを有するので、記録媒体が傾いて供給されてしまった場合にも、記録媒体の縁の位置を正確に検出して、各ノズルからのインク液滴の吐出を制御して、プラテンへのインク液滴の着弾や、プリントへの縁の形成等を防止して、好適に縁なりプリントを作成できる。
【００１９】
また、本発明においては、記録媒体を検出するセンサに光（検出光＝記録媒体やプラテンからの反射光）を導入する光路として、ノズルを利用するので、多数のノズルに好適に対応して、少ない空間で、かつ、容易にセンサを配置することが可能である。
【発明を実施するための最良の形態】
【００２０】
以下、本発明のインクジェットヘッド、画像記録装置、および、画像記録方法について、添付の図面に示される好適実施例を基に詳細に説明する。
【００２１】
図１に、本発明のインクジェットヘッドを用いて、本発明の画像記録方法を実施する、本発明の画像記録装置の一例を概念的に示す。
【００２２】
図１に示す画像記録装置１０（以下、記録装置１０とする）は、記録媒体Ｐにインクジェットによって画像を記録するインクジェットプリンタで、供給部１２、搬送部１４、および、画像記録部１６を有する。
なお、記録装置１０においては、図示した部材以外にも、記録媒体Ｐの搬送ガイドや搬送手段、記録媒体Ｐを検出するための各種のセンサ等、各種の画像記録装置に設けられている公知の部材が、必要に応じて配置されている。
【００２３】
記録装置１０において、供給部１２は、搬送部１４に記録媒体Ｐを供給する部位で、マガジン装填部２４と、その上方のカセット装填部２６とを有する。
マガジン装填部２４は、長尺な記録媒体Ｐをロール状に巻回してなる記録媒体ロール４８を収容するマガジン３８を、所定の位置に装填する部位である。
【００２４】
マガジン３８は、開閉可能な筐体で、フランジ回転ローラ４２および４４と、フィードローラ対４６とを有する。
フランジ回転ローラ４２および４４は、記録媒体Ｐの供給方向（搬送方向）に離間して配置されるローラである。一例として、フランジ回転ローラ４２は図示しない駆動源によって回転される駆動ローラで、フランジ回転ローラ４４は従動ローラである。
【００２５】
また、フィードローラ対４６は、記録媒体Ｐを搬送する搬送ローラ対で、２本のローラは、公知の手段で接離可能に構成される。
図示は省略するが、フィードローラ対４６の一方のローラは、回転軸がマガジン３８の外部に突出して、端部にギアが固定されてる。マガジン３８がマガジン装填部２４の所定位置に装填されると、このフィードローラ対４６のギアと、マガジン装填部２４に配置される駆動源に係合するギアとが歯合する。これにより、前記駆動源によってフィードローラ対４６が回転され、記録媒体Ｐをマガジン３８から送り出して搬送部１４に搬送し、あるいは、記録媒体Ｐをマガジン３８に引き込む。
【００２６】
記録媒体ロール４８は、長尺な記録媒体Ｐを円筒状の芯材に巻回してなるものである。
この記録媒体ロール４８の両端面には、フランジ４０が装着される。フランジ４０は、未使用の記録媒体ロール４８より径の大きい円盤状の物で、中心に、記録媒体ロール４８の芯材に嵌入される凸部を有する。フランジ４０は、この凸部を記録媒体ロール４８の芯材に嵌入されることで、記録媒体ロール４８に装着される。
【００２７】
記録媒体ロール４８は、フランジ４０を両端に装着した状態で、フランジ４０の円周部をフランジ回転ローラ４２および４４に載置され、かつ、記録媒体Ｐの先端をフィードローラ対４６に挟持された状態で、マガジン３８に収容される。従って、フランジ回転ローラ４２および４４は、フランジ４０を安定して載置可能な距離だけ、記録媒体Ｐの搬送方向に離間しては位置される。
前述のように、フランジ回転ローラ４２は駆動ローラで、また、マガジン３８がマガジン装填部２４に装填されると、フィードローラ対４６は、記録装置１０の駆動源と係合する。従って、記録媒体ロール４８は、フランジ回転ローラ４２の回転によって回転されて記録媒体Ｐを送り出し、また、記録媒体ロール４８から送り出された記録媒体Ｐは、フィードローラ対４６によって、搬送部１４に搬送される。
【００２８】
カセット装填部２６は、カセット２８を所定位置に装填する部位で、装填台３０、およびフィードローラ５２を有する。
カセット２８は、所定のサイズに切断されたカットシート状の記録媒体Ｐを収容する、上面（あるいは、記録媒体Ｐを排出するための開口部のみ）が開放する筐体である。装填台３０は、公知の筐体の載置／保持手段でこのカセット２８を所定の位置に載置して保持する台である。
【００２９】
フィードローラ５２は、側周面の一部が切り欠かれて平面となっている、いわゆるＤローラ（半月ローラ）である。
このフィードローラ５２は、記録媒体Ｐを収容するカセット２８が装填台３０の所定位置に装填された際に、円周面のみが最も上の記録媒体Ｐにある程度の圧力で当接する位置に配置される。また、カセット２８は、記録媒体Ｐを下方から支持する板材と、この板材を上方に付勢するバネとを用いる機構等の公知の手段で、最も上の記録媒体Ｐが常に所定の高さとなるように構成される。
従って、フィードローラ５２が回転することにより、フィードローラ５２の円周面がカセット２８の最上の記録媒体Ｐに当接して、圧力および摩擦力によって、この記録媒体Ｐをカセット２８から搬送／排出して、搬送部１４の搬送ローラ対７０に供給する。
【００３０】
搬送部１４は、供給部１２（マガジン装填部２４およびカセット装填部２６）から供給された記録媒体Ｐを、画像記録部１６に搬送する部位で、カッタ５４と、裏印字ユニット５６と、幅ガイド５８と、ガイドローラ６２と、８つの搬送ローラ対６４、６６、６８、７０、７２、７４、７６、および、７８とを有する。
ここで、ガイドローラ６２、搬送ローラ対６４、６６および６８、ならびにカッタ５４は、マガジン装填部２４から供給された記録媒体Ｐのみに対応し、搬送ローラ対７０および７２は、カセット装填部２６から供給された記録媒体Ｐのみに対応し、それ以外の、搬送ローラ対７４、７６および７８、裏印字ユニット５６、ならびに幅ガイド５８は、全ての記録媒体Ｐに対応する。
【００３１】
マガジン装填部２４から供給された長尺な記録媒体Ｐは、ガイドローラ６２によって搬送経路を水平方向から鉛直方向に変更されて、搬送ローラ対６４、６６、および６８によって搬送されて、全ての記録媒体Ｐに対応する搬送ローラ対７４に搬送される。
【００３２】
ここで、搬送ローラ対６４および６６の間には、記録媒体Ｐを切断するカッタ５４が配置される。
マガジン３８からの記録媒体Ｐの送り出し、ならびに、搬送ローラ対６４および６６による記録媒体Ｐの搬送は、カッタ５４による切断位置よりも下流に至った記録媒体Ｐの長さがプリントサイズに応じた長さとなった時点で、停止する。次いで、カッタ５４が駆動して記録媒体Ｐを切断し、長尺であった記録媒体Ｐを、プリントサイズに応じたカットシート状の記録媒体Ｐとする。
【００３３】
また、カッタ５４による切断が行なわれる前は、搬送ローラ対６８は、停止しており、図中点線で示すように、搬送ローラ対６６および６８の間において、記録媒体Ｐのループ（撓み）が形成される。
後述するが、記録媒体Ｐは、後に搬送されつつ、裏印字ユニット５６によって裏面にバックプリント（裏印字）を記録される。ここで、前述のように、カッタ５４による切断時には、記録媒体Ｐの搬送を停止する。従って、この時に、記録媒体Ｐの先端がバックプリントに至っていると、パックプリントの記録も停止する必要がある。
これに対し、裏印字ユニット５６よりも上流で、このような記録媒体Ｐのループを形成することにより、カッタ５４による切断に伴うパックプリント記録の停止を不要にすることができ、裏印字ユニット５６で安定して裏印字を行い、さらに、切断による衝撃がパックプリントの記録に影響を及ぼすことを防止できる。また、全ての記録媒体Ｐに対応する搬送経路（搬送ローラ対７４）よりも上流で、記録媒体Ｐのループを形成することにより、カッタ５４による切断のための記録媒体Ｐの搬送停止中に、マガジン装填部２６から搬送ローラ対７４に記録媒体Ｐを供給することが可能となり、高効率なプリント出力が可能となる。
【００３４】
カッタ５４による切断が終了すると、搬送ローラ対６６および６８による搬送が開始され、プリントに応じたサイズに切断されたカットシート状の記録媒体Ｐは、搬送ローラ対７４に搬送される。
【００３５】
他方、フィードローラ５２によってカセット装填部２６（カセット２８）から供給されたカットシート状の記録媒体Ｐは、搬送ローラ対７０および７２によって搬送されて、搬送ローラ対７４に搬送される。
【００３６】
全ての記録媒体Ｐに対応する搬送ローラ対７４に搬送された記録媒体Ｐは、搬送ローラ対７４、７６、および７８によって搬送され、幅ガイド５８に至る。
ここで、搬送ローラ対７４と７６との間には、裏印字ユニット５６が配置される。記録媒体Ｐは、搬送ローラ対７４および７６によって搬送されつつ、裏印字ユニット５６によって、裏面（画像記録面の裏面）にバックプリント（裏印字）を記録される。
裏印字ユニット５６は、例えば、ドットインパクトプリンタやインクジェットプリンタを用いて構成される。また、裏印字情報としては、画像ファイル名や画像補正情報等を例示される。
【００３７】
幅ガイド５８は、画像記録部１６（副走査ローラ対８０）に供給する記録媒体Ｐの幅方向（搬送方向と直交する方向＝主走査方向）の位置を調整するものである。
幅ガイド５８には、特に限定はなく、公知のシート状物の位置調整および位置決め手段が、全て利用可能である。
【００３８】
幅ガイド５８で幅方向の位置決めをされた記録媒体Ｐは、搬送ローラ対７８によって、画像記録部１６に搬送される。
図２に、画像記録部１６の上面図を、図３（Ａ）に同正面図（記録媒体Ｐの搬送方向の上流側から見た図）を、図３（Ｂ）に同側面図（図１と同方向から見た図）を、それぞれ概念的に示す。
画像記録部１６は、インクジェットによって記録媒体Ｐに画像を記録（描画）する部位であって、副走査ローラ対８０と、記録手段８２と、プラテン８４と、ベルトコンベア８６と、乾燥手段８８と、搬送ローラ対９０とを有して構成される。
【００３９】
図示例の画像記録部１６は、インクジェットヘッドのノズル列の長さ（記録媒体Ｐの搬送方向のノズル列の長さ＝副走査方向のノズル列の長さ）に応じた所定の搬送長で、図中矢印ｙ方向（副走査方向）に記録媒体Ｐを断続的に搬送しつつ、搬送停止中に、インクジェットヘッドを搬送方向と直交する矢印ｘ方向（以下、主走査方向とする）に移動して、画像記録を行なう、いわゆるシリアルタイプ（シャトルタイプ）のインクジェット記録手段である。
なお、本発明にかかる記録装置１０において、画像記録は、１回の画像記録で所定密度の記録を行なう１パスでの画像記録であっても、低密度の複数回の画像記録で所定密度の画像記録を行なう分割記録（シングリング／分割印字）であってもよく、また、記録装置１０は、両記録方法が設定され、何れかの画像記録を選択可能なものであってもよい。
また、本発明は、シャトルタイプのインクジェット記録には限定されず、記録媒体Ｐの一方向の長さを超えるノズル列を有する、いわゆるラインヘッドを用い、ラインヘッドのノズル列方向と直交する方向に記録媒体Ｐを搬送して（あるいは、記録媒体を停止してヘッドを移動して）記録を行なうインクジェット記録にも、好適に利用可能である。
【００４０】
副走査ローラ対８０は、インクジェットによる記録媒体Ｐへの画像記録のために、この断続的な記録媒体Ｐの搬送を行なうもので、通常の搬送ローラ対である。
また、ベルトコンベア８６は、記録媒体Ｐの後端が副走査ローラ対８０から離間した後に、同様の断続的な記録媒体Ｐの搬送を行い、また、画像記録を終了した記録媒体Ｐを、下流に搬送（画像記録部１６から排出）する搬送手段で、同様に、通常のベルトコンベアである。
すなわち、副走査ローラ対８０およびベルトコンベア８６は、シリアルタイプのインクジェットにおける副走査搬送手段である。
【００４１】
プラテン８４は、インクジェットによる画像記録に供される記録媒体Ｐを、所定の記録位置（インクジェットヘッドに対して所定の距離）に保持する、平板状の台である。副走査ローラ対８０は、このプラテン８４に記録媒体Ｐを搬送する。
なお、プラテン８４は、必要に応じて、吸引や静電気等を利用して、副走査ローラ対８０やベルトコンベア８６による搬送力よりも弱い力で記録媒体Ｐをプラテンに保持する、保持手段を有してもよい。
【００４２】
記録手段８２は、インクジェットによる画像記録を行なうもので、ヘッドユニット９２と、主走査手段９４とを有して構成される。
【００４３】
ヘッドユニット９２は、インクジェットヘッド９８（以下、記録ヘッド９８とする）と、赤外線ランプ１００とを、ホルダ１０２で保持してなる、ヘッドアセンブリである。ヘッドユニット９２に関しては、後に詳述する。
なお、本発明において、記録ヘッド９８は、ピエゾ素子（圧電素子）による振動を利用するピエゾ方式、発熱体によってインクに生じる気泡の圧力を利用するサーマル方式、インク液滴に与えた電荷を利用する静電方式等、公知のインクジェットの記録ヘッドが全て利用可能である。図示例の記録ヘッド９８は、一例として、ピエゾ素子による振動を利用する、ピエゾ方式のインクジェットヘッドである。
【００４４】
主走査手段９４は、ヘッドユニット９２（すなわち記録ヘッド９８）を主走査方向に往復搬送（主走査）するものである。
図示例において、主走査手段９４は、ネジ伝動によってヘッドユニット９２を搬送するものであり、ドライブシャフト１０４およびガイドシャフト１０６と、回転駆動源１０８とを有する。
【００４５】
ドライブシャフト１０４は、いわゆる送りネジ（ネジ軸／親ネジ）であり、主走査方向に延在して配置され、回転駆動源１０８によって回転される。ガイドシャフト１０６は、ドライブシャフト１０４と同様、主走査方向に延在して配置される長尺な円柱状のガイド部材である。
【００４６】
ヘッドユニット９２は、図４に概念的に示すように、ノズル１１２が直線状に並ぶ方向を副走査方向（矢印ｙ方向）と一致して、かつ、液滴吐出面をプラテン８４に向けた状態で、ホルダ１０２にドラブシャフト１０４およびガイドシャフト１０６を挿通して、両シャフトに保持される。ここで、ホルダ１０２のドライブシャフト１０４の挿通部は、ネジ（ナット）となっており、このネジはドライブシャフト１０４に螺合する。
従って、回転駆動源１０８がドライブシャフト１０４を回転することにより、ヘッドユニット９２は、主走査方向に搬送される。
【００４７】
なお、本発明の記録装置１０において、ヘッドユニット９２の搬送方法（主走査方法）は、図示例のようなネジ伝動に限定されず、例えば、ベルトやプーリを用いる方法、静電力を利用した方法など、シリアルスキャン方式のインクジェットプリンタで用いられる方法を利用することができる。
【００４８】
前述のように、記録装置１０は、シリアルタイプのインクジェットプリンタであるので、画像記録部１６においては、記録媒体Ｐの搬送を停止した際に、走査手段８２によってヘッドユニット９２を主走査方向（往路方向）に搬送（主走査を行い）し、この際に、記録する画像に応じて各ヘッドのノズルからインク液滴を吐出して画像を記録し、１回の主走査が終了したら、記録媒体Ｐを所定量搬送して、再度、ヘッドユニット９２を主走査方向（復路方向）に搬送して画像を記録することを繰り返して、記録媒体Ｐの全面に画像を記録する。
【００４９】
図４に、記録ヘッド９８の液滴吐出面（ノズル面）を概念的に示す。
図示例の記録ヘッド９８は、一例として、インク液滴を吐出するノズル１１２が９×９で二次元的に配列されたもので、合計で８１個のノズル１１２を有する。また、図示例の記録ヘッド９８は、好ましい態様として、９×９のノズル１１２を正方格子状に配列したのではなく、一方向のノズルの配列のみ、配列方向と直交する方向に、ノズル１１２の位置を少しずつズラしてある。
前述のように、記録ヘッド９８は、ノズル位置がズレていない方向のノズル１１２の配列方向を、副走査方向（矢印ｙ方向）と一致して、配置される。また、主走査方向のノズル列の副走査方向へのズレ（ノズル１１９の位置）は、副走査方向から見た際に、ノズルの中心が重ならないように設定されている。
【００５０】
なお、本発明のインクジェットヘッドは、図示例のように二次元的にノズルが配列されたものであるのに限定はされず、ノズル列を１列しか有さないインクジェットヘッドであってもよく、本発明の画像記録装置は、このようなインクジェットヘッドを用いるものであってもよい。
また、図示例の記録装置１０においては、本発明の構成を明瞭に示すために、ヘッドユニット９２が１個の記録ヘッド９８（１色の描画）しか有さない、モノクロの画像記録を行なうものであるが、本発明は、これに限定はされず、例えば、ヘッドユニットが、Ｃ、Ｍ、ＹおよびＫのインク液滴を吐出する、４つのインクジェットヘッドを有する、カラーの画像記録を行なうものであってもよい。
【００５１】
図５に、記録ヘッド９８の１つのノズル１１２に対応する構造を概念的に示す。
前述のように、記録ヘッド９８はピエゾ方式のインクジェットヘッドで、ノズル１１２と、圧力室１１４を有する。また、圧力室１１４のノズル１１２の開放端と対面（対向）する壁１１４ａの裏面（圧力室１１４と逆面）には、この壁１１４ａ（振動板）を振動させてインク液滴を吐出させるピエゾ素子１１６が配置される。
このような記録ヘッド９８は、一例として、Ｓｉウエハを用いた半導体装置の製造技術で作製される。また、壁１１４ａの振動手段は、ピエゾ素子に限定はされず、振動板の振動によって圧力室からインク液滴を吐出し、また、リフィルするインクジェットヘッドで用いられている各種の方法が全て利用可能である。
【００５２】
記録ヘッド９８においては、ピエゾ素子１１６によって振動される圧力室１１４の壁１１４ａの裏面側には、ＣＣＤセンサ１２０が配置される。ＣＣＤセンサ１２０は、赤外光に感度を有するセンサ（受光素子）１２２が二次元的に配列されたものであり、好ましい態様として、図４に概念的に示すように、各センサ１２２は、記録ヘッド９８の全てのノズル１１２に対応して、ノズル１１２（開放端）に対面する位置に配置される。
さらに、記録ヘッド９８は、ＣＣＤセンサ１２０の各センサ１２２に対応して、セルフォックレンズ１２４（結像レンズ）を有する。
【００５３】
前述のように、ヘッドユニット９２は、赤外線ランプ１００が配置される。
赤外線ランプ１００は、ヘッドユニット９２から記録媒体Ｐ（すなわちプラテン８４）に向けて赤外線を照射する。
従って、赤外線ランプ１００から照射され、ノズル１１２と対面する位置において記録媒体Ｐあるいはプラテン８４で反射された赤外光は、ノズル１１２に入射する。本例で使用するのは、赤外光であるので、ノズル１１２に入射した赤外光は、インクを透過してノズル１１２を進行し、さらに、シリコン製の壁１１４ａを透過して、セルフォックレンズ１１２によって、センサ１２２に結像される。
【００５４】
従って、例えば、プラテン８４の表面（記録媒体Ｐの指示面）での赤外光の反射率が、記録媒体Ｐに比して大幅に低い等、記録媒体Ｐとプラテン８４とで、赤外光の反射状態が大幅に異なるようにしておけば、センサ１２２が検出した赤外光の光量すなわちセンサ１２２の出力信号によって、各ノズル１１２が対面しているのが（各ノズル１１２からのインク液滴の着弾位置が）、記録媒体Ｐなのかプラテン８４なのかを判別できる。
言い換えれば、各ノズル１１２に対応して、記録媒体Ｐが有るのか無いのかを、判別できる。
【００５５】
これにより、図６に模式的に示すように、図中「×」を付した記録媒体Ｐが対面しているノズル１１２のみからインク液滴の吐出を行い、それ以外の記録媒体Ｐとは対面していないノズル１１２からのインク液滴の吐出駆動を停止するようにして、プラテン８４を汚染することなく、縁無しプリントを作成することが可能になる。
【００５６】
図７に、このようなセンサ１２２を有する記録ヘッド９８における液滴吐出駆動の制御系の一例を概念的に示すブロック図を、また、図８に、図７に示す制御系におけるタイミングチャートの一例を、それぞれ示す。
前述のように、記録ヘッド９８は、全てのノズル１１２に対応してＣＣＤセンサ１２０のセンサ１２２を有しており、各ノズル１１２毎に、センサ１２２による赤外光の検出結果すなわちセンサ１２２の出力信号に応じて、吐出を制御する。
【００５７】
図示例において、各ノズル１１２毎の吐出駆動の制御を行なう制御ブロック１２８には、所定の駆動波形信号Ａおよび記録する画像に応じたデータ信号Ｂが供給される。
通常のインクジェットでは、図８の通常吐出信号Ｅに示すように、両者がｏｎになった状態（立ち上がった状態）で、吐出信号がｏｎになる。これに対し、本発明においては、媒体検出部１３０から供給される媒体判別信号Ｃに応じて、吐出信号Ｄが制御される。
【００５８】
一例として、プラテン８４に比して、記録媒体Ｐによる赤外光の反射率が大幅に高く、対応するセンサ１２２が受光した赤外光の光量（すなわち、センサ１２２の出力信号）が所定の閾値以上となった場合に、このノズル１１２が記録媒体Ｐに対面していると判断する。媒体検出部１３０は、センサ１２２の出力信号が所定値を超えた場合に、媒体判別信号Ｃをｏｎとし、それ以外のノズル１１２は、記録媒体Ｐに対面していないとして媒体判別信号Ｃをｏｆｆにして、制御ブロック１２８に供給する。
この媒体判別信号Ｃがｏｆｆの状態では、ノズル１１２からの液滴吐出を無効する。従って、制御ブロック１２８では、駆動波形信号Ａおよびデータ信号Ｂに加え、媒体判別信号Ｃがｏｎになった場合のみ、ピエゾ素子１１６を駆動する駆動手段１３２に供給する吐出信号Ｄをｏｎにする。
【００５９】
以上の説明より明らかなように、本発明においては、インク液滴を吐出するノズル１１２を、記録媒体Ｐを検出する光をセンサ１２２に入射するための光路として用い、かつ、複数のセンサ１２２（図示例においては、全ノズル１１２に対応するセンサ１２２）によって記録媒体Ｐを検出して、各ノズル１１２毎の吐出ｏｎ／ｏｆｆを制御する。そのため、縁無しプリントを作成する際における、各ノズル１１２毎の駆動停止タイミングを設定するための処理量（演算量）を大幅に低減することができ、図示例のような、二次元的にノズル１１２を配列した記録ヘッド９８であっても、迅速かつ高効率に処理を行なうことができ、高速での画像記録等にも、好適に対応できる。
さらに、複数のセンサ１２２で記録媒体Ｐを検出するので、記録媒体Ｐが傾いて供給されてしまった場合にも、記録媒体Ｐの縁の位置を正確に検出して、各ノズル１１２からのインク液滴の吐出を制御して、プラテン８４へのインク液滴の着弾や、プリントへの縁の形成等を防止して、好適に縁無しプリントを作成できる。
しかも、記録媒体Ｐを検出するセンサ１２２に、記録媒体Ｐやプラテン８４からの反射光を導入する光路として、ノズル１１２を利用するので、多数のノズル１１２に対応して、少ない空間で、かつ、容易にセンサ１２２を設けることができる。
【００６０】
また、記録媒体Ｐを検出するための光として、赤外光（赤外線）や紫外光（紫外線）等の非可視光を使用することにより、ノズル１１２の中にインクが存在しても、好適にセンサ１２２に、記録媒体Ｐ等からの反射光を入射することができ、さらに、赤外光を用いることにより、圧力室１１４の壁１１４ａの裏面側に、センサを配置することができる。
【００６１】
なお、本発明において、センサは、図示例のようなＣＣＤセンサ１２０に限定はされず、ＭＯＳセンサ等も利用可能である。すなわち、本発明においては、記録媒体Ｐを検出するための光（検出光）に応じて、検出光を検出可能なセンサが、全て利用可能である。
また、インク液滴の吐出の妨害にならなければ、検出光のセンサは、圧力室１１４の中に設けてもよい。
さらに、記録媒体Ｐおよび用いる検出光に応じて、記録媒体Ｐとプラテン８４とで、検出光の反射率が大きく異なるように（コントラストが大きくなるように）、プラテン８４の表面を処理あるいは選択するのが好ましい。例えば、図示例のように、検出光として赤外光を用いる場合には、プラテン８４の表面に赤外光を吸収する層を形成し、あるいは、プラテン８４を赤外線を吸収する（吸収率が高い）材料で作製すればよい。
【００６２】
以上の例では、好適な一例として、全てのノズル１１２に対応してセンサ１２２を設けたが、本発明は、これに限定はされず、センサ１２２は、主走査方向の先端となるノズル列の２以上のノズル１１２に設ければよい。
【００６３】
一例として、図９（Ａ）に模式的に示すように、主走査方向の先端（先頭側）となるノズル列のみに、センサ１２２を設けてもよい。
前述のように、記録装置１０においては、主走査の往路および復路の両方で画像を記録するので、主走査方向の両端のノズル列に、センサ１２２を設ける。なお、本例においては、往路のみで画像を記録する場合には、往路の先端のノズル列のみに、センサ１２２を設ければよい。
【００６４】
なお、以降の例は、ノズル１１２を正方格子状に示しているが、これらの態様は、図４に示すようにノズル１１２をズラして配置した構成でも、同様に利用可能であるのは、当然のことである。
【００６５】
以下、図９（Ａ）中の最も上のノズル列を例に、説明する。
往路の先端のノズル１１２をＮ０１として、往路方向の後端に向かって順に、ノズル１１２をＮ０２、Ｎ０３……Ｎ０９とする。また、往路の先端のノズル１１２であるＮ０１に対応するセンサ１２２をＳ０１、往路の後端（復路の先端）のノズル１１２であるＮ０９に対応するセンサ１２２をＳ０２とする。
【００６６】
図９（Ｂ）に示すように、先の例と同様、Ｓ０１およびＳ０２からの出力は、まず、媒体検出部１３０に供給され、ここで、Ｎ０１〜Ｎ０９の媒体判別信号のｏｎ／ｏｆｆを判断して、Ｎ０１〜Ｎ０９の媒体判別信号を制御ブロック１２８に送る。なお、この点に関しては、以下の図１０よおび図１１に示す例も、同様である。
当然の事であるが、各ノズル１１２の間隔（Ｎ０１からの距離）、および、主走査速度は、既知である。従って、Ｎ０１が記録媒体Ｐに対面してＳ０１からの出力が閾値を超えてから（Ｓ０１がｏｎ）、Ｎ０２〜Ｎ０９が記録媒体Ｐに対面するまでのタイミング、および、Ｎ０１が記録媒体Ｐから離れてＳ０１からの出力が閾値以下となってから（Ｓ０１がｏｆｆ）、Ｎ０２〜Ｎ０９が記録媒体Ｐと対面状態では無くなるまでのタイミングは、知見できる。このタイミングに応じた走査クロック分だけ時間軸をシフトすることで、各ノズル１１２に対して、適正な媒体判別信号を出力することが出来る。
【００６７】
媒体検出部１３０は、図９（Ｃ）に示すように、主走査の往路では、Ｓ０１からの出力信号に応じて、Ｓ０１がｏｎになった時点で、Ｎ０１の媒体判別信号をｏｎにして、先のタイミングに応じて、Ｎ０２〜Ｎ０９に対する媒体判別信号を、順次、ｏｎにする。また、Ｓ０１がｏｆｆになった時点で、Ｎ０１の媒体判別信号をｏｆｆにして、先のタイミングに応じて、Ｎ０２〜Ｎ０９に対する媒体判別信号を、順次、ｏｆｆにする。
主走査の復路では、逆に、Ｓ０２からの出力信号に応じて、Ｓ０２がｏｎになった時点で、Ｎ０９の媒体判別信号をｏｎにして、先のタイミングに応じて、Ｎ０８〜Ｎ０１に対する媒体判別信号を、順次、ｏｎにする。また、Ｓ０２がｏｆｆになった時点で、Ｎ０９の媒体判別信号をｏｆｆにして、先のタイミングに応じて、Ｎ０８〜Ｎ０１に対する媒体判別信号を、順次、ｏｆｆにする。
【００６８】
また、本発明においては、実際にインク液滴を吐出するノズルではなく、インク液滴を吐出しないダミーノズルを主走査方向の先端に設け（あるいは、主走査方向の先端のノズルをダミーノズルとし）、このダミーノズルに、受光素子を設けてもよい。
【００６９】
図１０（Ａ）に、その一例と示す。
本例では、主走査方向の両端のノズル列１１２の外側（往路の先端のノズル列の前、および、後端のノズル列の後ろ）に、ダミーノズル１１２Ｄのノズル列を設け、このダミーノズル１１２Ｄの全てに対応して、センサ１２２を設ける。
【００７０】
同じく、図１０（Ａ）中の最も上のノズル列を例に、往路の先端のノズル１１２をＮ０１、後端のノズル１１２をＮ０９とし、また、往路の先端のダミーノズル１１２Ｄに対応するセンサ１２２をＳ０１、後端のダミーノズル１１２Ｄに対応するセンサ１２２をＳ０２とする。
【００７１】
本例においては、図１０（Ｂ）に示すようにＳ０１がｏｎになった後、ダミーノズル１１２ＤとＮ０１との距離および走査速度に応じた所定のタイミングで、Ｎ０１の媒体判別信号をｏｎにして、以下、先と同様、所定のタイミングで、順次、Ｎ０２〜Ｎ０９に対する媒体判別信号を、ｏｎにする。また、Ｓ０１がｏｆｆになった後、所定のタイミングで、Ｎ０１の媒体判別信号をｏｆｆにして、以下、同様に、順次、Ｎ０２〜Ｎ０９に対する媒体判別信号をｏｆｆにする。
復路は、復路の先端（往路の後端）となるダミーノズル１１２Ｄに対応するセンサ１２２であるＳ０２に応じて、同様の処理を行なう。
【００７２】
ノズル１１２に対応するセンサ１２２を利用する態様では、ノズル１１２が記録媒体Ｐに対面した後（すなわち、センサ１２２が記録媒体Ｐを検出した後）、インク液滴が記録媒体Ｐに着弾するまでに、若干の遅れが生じ、主走査速度や吐出の応答性によっては、この遅れが原因で、縁無しプリントが不適正になったり、プラテン８４へのインク付着等が生じる可能性も有る。
これに対し、主走査方向の先端側に、ダミーノズル１１２Ｄを設け、このノズルに対応してセンサ１２２を設けることで、液滴を吐出するノズル１１２が記録媒体Ｐに対面してからインク液滴の着弾までの遅れを大幅に低減できる。
【００７３】
なお、図１０に示すように、ダミーノズル１１２Ｄを設け、このダミーノズル１１２Ｄに対応してセンサ１２２を設ける構成では、検出光の光路中にインクが存在しない状態にできるので、検出光として可視光を利用してもよい。この際には、前述のように、検出光のセンサを圧力室１１４に設ければよく、あるいは、ダミーノズル１１２Ｄの中にセンサを設けてもよい。
また、このダミーノズル１１２Ｄを設ける態様であれば、検出光を受光素子に結像させるためのセルフォックレンズ１２４を、ダミーノズル１１２Ｄ内に配置してもよい。
【００７４】
さらに、本発明においては、主走査方向の先端のノズル列の全てのノズル１１２にセンサ１２２を設けるのにも限定はされず、離間した２以上のノズルに対応して、センサ１２２を設けてもよい。
【００７５】
図１１（Ａ）に、その一例を示す。
図１１（Ａ）に示す例は、図１０と同様のダミーノズル１１２Ｄを設けて、ダミーノズル１１２Ｄに対応して、センサ１２２を設けた例である。しかしながら、この態様は、ダミーノズル１１２Ｄを有さない場合にも、同様に利用可能である。
図１１（Ａ）において、往路の先端のノズル列における各ノズル１１２を、図中上からＮ０１、Ｎ１１、Ｎ２１……Ｎ８１とし、往路の後端のノズル列における各ノズル１１２を図中上からＮ０９、Ｎ１９、Ｎ２９……Ｎ８９とする。
図示例においては、Ｎ０１、Ｎ４１、Ｎ０９、およびＮ４９に対応するダミーノズル１１２Ｄに、センサ１２２を設け、Ｓ０１、Ｓ１１、Ｓ０２、およびＳ１２とする。
【００７６】
副走査方向に配列されるノズル１１２の主走査方向の位置は、同じ（あるいは既知）である。従って、副走査方向に配列されるノズル１１２は、基本的に、１つのノズル１１２が記録媒体Ｐに対面すれば、全てのノズル１１２が、記録媒体Ｐに対面する。
図示例においては、Ｓ０１の出力信号に応じて、Ｎ０１〜Ｎ３１の媒体判別信号を制御し、Ｓ１１の出力信号に応じて、Ｎ４１〜Ｎ８１の媒体判別信号を制御するものであり、図１１（Ｂ）に示すように、往路では、Ｓ０１がｏｎになった後、所定のタイミングでＮ０１〜Ｎ３１の媒体判別信号をｏｎとし、Ｓ１１がｏｎになったら、Ｎ４１〜Ｎ８１の媒体判別信号をｏｎにする。復路では、Ｓ０２およびＳ１２の出力信号に応じて、同様に媒体判別信号を制御すればよい。
なお、主走査方向に配列されるノズル１１２に関しては、図１０に示される例と同様に媒体判別信号を制御すればよい。
【００７７】
ここで、記録媒体Ｐが適正に搬送されていれば、Ｓ０１およびＳ１１（Ｓ０２およびＳ１２）は、同時にｏｎになるが、記録媒体Ｐが傾いて搬送された場合には、両者がｏｎになるタイミングがずれる。また、この時間差は、記録媒体Ｐの傾きに対応する。
従って、この場合には、Ｓ０１がｏｎになってから、Ｓ１１がｏｎになるまでの時間差に応じて、副走査方向に配列された各ノズル１１２（Ｎ０１〜Ｎ８１）の媒体判別信号をｏｎにするタイミングを、送らせる。これにより、記録媒体Ｐが傾いて搬送された場合でも、プラテン８４へのインクの着弾を防止して、白縁が無い適正な値縁無しプリントを作成することができる。
【００７８】
ベルトコンベア８６は、前述のように、画像記録中は、副走査手段として断続的に記録媒体Ｐの搬送を行なうが、画像記録を終了すると、連続的に記録媒体Ｐの搬送を行なう。
また、画像を記録された記録媒体Ｐは、乾燥手段８８によって、着弾したインクを乾燥される。なお、乾燥手段による乾燥方法には、特に限定はなく、ファンによる乾燥、ヒータによる乾燥、ファンとヒータの併用等、公知の手段によればよい。
【００７９】
ベルトコンベア８６によって搬送され、インクを乾燥された記録媒体Ｐは、次いで、搬送ローラ対９０によって搬送され、プリントとしてトレイ１１８に排出される。
【００８０】
以上の例では、記録媒体Ｐおよびプラテン８４からの反射光を検出するセンサ１２２による出力信号に応じて、各ノズル１１２が記録媒体Ｐと対面しているか否かを検出したが、本発明の記録装置１０においては、記録媒体Ｐのジャミングの検出に、センサ１２２の出力信号を利用してもよい。
画像記録部１６においてジャミングが発生すれば、記録媒体Ｐからの赤外光（検出光）の反射状態が通常とは異なる状態となり、あるいは、急激に予想外な変動を生じる。従って、このような場合には、画像記録部１６においてジャミングが発生したと判断して、画像記録を停止して、警告を発生するようにしてもよい。
また、プラテン８４や定常的に使用されている記録媒体Ｐとは全く異なる状態の光をセンサ１２２が受光した場合にも、不適正な記録媒体Ｐが供給されたとして、同様に、画像記録を停止して、警告を発生するようにしてもよい。
【００８１】
以上、本発明のインクジェットヘッド、画像記録装置、および画像記録方法について詳細に説明したが、本発明は上記実施形態に限定はされず、本発明の要旨を逸脱しない範囲において、各種の改良や変更を行ってもよいのは、もちろんのことである。
【図面の簡単な説明】
【００８２】
【図１】本発明の画像記録装置の一例を概念的に示す図である。
【図２】図１に示す画像記録装置の画像記録部の概念的な平面図である。
【図３】（Ａ）は、図１に示す画像記録装置の画像記録部の概念的な正面図であり、（Ｂ）は、同側面図である。
【図４】図１に示す画像記録装置の記録ヘッドの吐出面を概念的に示す図である。
【図５】図４に示す記録ヘッドの構造を概念的に示す部分断面図である。
【図６】図４に示す記録ヘッドの吐出制御を説明するための概念図である。
【図７】図４に示す記録ヘッドの制御系を概念的に示すブロック図である。
【図８】図４に示す記録ヘッドにおける液滴吐出のタイミングチャートである。
【図９】（Ａ）は、本発明の画像記録装置に利用される記録ヘッドの別の例の吐出面を概念的に示す図であり、（Ｂ）は、この記録ヘッドの制御系の一部を示すブロック図であり、（Ｃ）は、この記録ヘッドにおける液滴吐出のタイミングチャートである。
【図１０】（Ａ）は、本発明の画像記録装置に利用される記録ヘッドの別の例の吐出面を概念的に示す図であり、（Ｂ）は、この記録ヘッドにおける液滴吐出のタイミングチャートである。
【図１１】（Ａ）は、本発明の画像記録装置に利用される記録ヘッドの別の例の吐出面を概念的に示す図であり、（Ｂ）は、この記録ヘッドにおける液滴吐出のタイミングチャートである。
【符号の説明】
【００８３】
１０  （画像）記録装置
１２  供給部
１４  搬送部
１６  画像記録部
２４  マガジン装填部
２６  カセット装填部
２８  カセット
３０  載置台
３８  マガジン
４０  フランジ
４６  フィードローラ対
４８  ロール状記録媒体
５０  記録シート
５２  給紙ローラ
５４  カッタ
５６  裏印字ユニット
５８  幅ガイド
６０  ターンローラ
６４、６６、６８、７０、７２、７４、７６、７８、８０、９０  搬送ローラ対
８２  記録手段
８４  プラテン
８６  ベルトコンベア
８８  乾燥手段
９２  ヘッドユニット
９４  主走査手段
９８  記録ヘッド
１００  赤外線ランプ
１０２  ホルダ
１０４  ドライブシャフト
１０６  ガイドシャフト
１０８  回転駆動源
１１２  ノズル
１１４  圧力室
１１６  ピエゾ素子
１２０  ＣＣＤセンサ
１２２  センサ（受光素子）
【図１】
2009234098.tif 000003
【図２】
2009234098.tif 000004
【図３】
2009234098.tif 000005
【図４】
2009234098.tif 000006
【図５】
2009234098.tif 000007
【図６】
2009234098.tif 000008
【図７】
2009234098.tif 000009
【図８】
2009234098.tif 000010
【図９】
2009234098.tif 000011
【図１０】
2009234098.tif 000012
【図１１】
2009234098.tif 000013